(57)【要約】  携帯娯楽装置(例えば、CDプレーヤ、カセットプレーヤ又はMP3プレーヤ)から隣接する無線受信機へ例えばカーオーディオシステムでデータを送信するための無線ブロードキャスト装置に本発明は関連する。無線ブロードキャスト装置は、第１周波数でデータを送信し、データを送信する代替周波数を指定する情報を第１周波数で送信し、データの送信を代替周波数に切り替える。
2009507411.tif 000002
【特許請求の範囲】
【請求項１】
携帯娯楽装置からデータを送信するための無線ブロードキャスト装置であって、
第１周波数でデータを送信し、
前記データを送信する代替周波数を指定する情報を前記第１周波数で送信し、
前記データの送信を前記代替周波数に切り替える無線ブロードキャスト装置。
【請求項２】
前記第１周波数で前記データを送信する一方、前記第１周波数での干渉の存在を検出し、
前記第１周波数での干渉が所定の閾値を越える場合、送信用に代替周波数を選択する請求項１記載の無線ブロードキャスト装置。
【請求項３】
前記第１周波数でのデータの送信を終え、前記代替周波数でのデータの送信を開始することで、当該無線ブロードキャスト装置が前記の送信を切り替える請求項１又は２に記載の無線ブロードキャスト装置。
【請求項４】
前記代替周波数でのデータの送信を開始し、前記第１周波数でデータを送信する電力を同時に減らすことで、当該無線ブロードキャスト装置が前記データの送信を前記代替周波数に切り替える請求項１又は２に記載の無線ブロードキャスト装置。
【請求項５】
利用可能な周波数帯域で各周波数での干渉レベルを測定することで、当該無線ブロードキャスト装置が代替周波数候補のリストを決定する請求項１乃至４の何れか１項に記載の無線ブロードキャスト装置。
【請求項６】
ラジオデータシステムのデータを調べることで、当該無線ブロードキャスト装置が、代替周波数候補の前記リストをコンパイルする請求項５記載の無線ブロードキャスト装置。
【請求項７】
前記代替周波数を指定する情報を、前記第１周波数での伝送のラジオデータシステム部分で送信する請求項１乃至６の何れか１項に記載の無線ブロードキャスト装置。
【請求項８】
前記データに関連する情報を、前記携帯娯楽装置から前記第１周波数で及び代替周波数での伝送のラジオデータシステム部分で送信する請求項１乃至７の何れか１項に記載の無線ブロードキャスト装置。
【請求項９】
前記情報は、IDタグ又は他の関連データを含み、該関連データは歌のタイトル、アルバムタイトル、アーティスト又はトラック長の内の１つ以上を含む請求項８記載の無線ブロードキャスト装置。
【請求項１０】
前記携帯娯楽装置の身元に関する情報を、前記第１及び代替周波数での伝送の無線データシステム部分で送信する請求項１乃至９の何れか１項に記載の無線ブロードキャスト装置。
【請求項１１】
前記情報が、無線受信機により表示される請求項８，９又は１０に記載の無線ブロードキャスト装置。
【請求項１２】
請求項１乃至１１の何れか１項に記載の無線ブロードキャスト装置を有する携帯娯楽装置。
【請求項１３】
請求項１乃至１１の何れか１項に記載の無線ブロードキャスト装置を有し、携帯娯楽装置に接続するためのアダプタ装置。
【請求項１４】
携帯娯楽装置から固定の又は移動可能な無線受信機へデータを送信するための方法であって、
第１周波数で前記携帯娯楽装置からデータを送信し、
前記データを送信する代替周波数を指定する情報を前記第１周波数で送信し、
前記データの送信を前記代替周波数に切り替える方法。
【発明の詳細な説明】
【技術分野】
【０００１】
本発明は一般に無線ブロードキャスト装置に関連し、特に携帯用娯楽装置から無線受信機にデータを送信する無線ブロードキャスト装置に関連する。
【背景技術】
【０００２】
例えば、CDプレーヤ、オーディオカセットプレーヤ、MP3プレーヤ又は移動電話等のような携帯用娯楽装置のユーザは、そのユーザが乗物で移動している際に携帯用娯楽装置に格納されている音楽又は他のオーディオを聴くことをしばしば希望する。
【０００３】
これを可能にする従来の方法の１つは、例えば、乗物のオーディオシステムに有線接続されている受け台にその娯楽装置を接続することで、携帯用娯楽装置を乗物のオーディオシステムに直接的に接続することである。
【０００４】
上記を可能にする従来の別の方法は、携帯用娯楽装置と一体的に又はその装置用の別個の付属品として、選択された無線周波数で或る狭い地域に亘ってオーディオ情報を放送(ブロードキャスト)する何らかの手段を用意することである。乗物のオーディオシステムの電波は、その選択された周波数に同調可能であり、携帯娯楽装置及び乗物のオーディオシステム間に如何なる直接的な接続も必要としないで、音楽その他のオーディオをユーザが聴けるようにする。多くの既存の装置では、FM周波数帯域がこの伝送に使用されている。
【０００５】
しかしながらこれらの伝送に利用可能な周波数帯域は、限られた帯域幅を有し、いくつかの他の無線ブロードキャストで既に使用されている最中であることがしばしばある。従って、その送信は他の無線ブロードキャストの送信と又は他の近辺の娯楽装置と干渉するおそれがある。
【０００６】
米国特許第6,728,239号(特許文献１)は、オーディオを外部のFMラジオ又は受信機に送信する一体的なFM送信機を有するディジタルオーディオプレーヤを開示している。ディジタルオーディオプレーヤが自動的且つ周期的にFMバンドの多数のチャネルを走査し、干渉量が最少のチャネルを決定することで、干渉の問題は軽減される。ディジタルオーディオプレーヤは、FM送信機をそのチャネルの周波数にチューニングし、ユーザが外部受信機をマニュアルで合わせるべきチャネルを表示する。後に、送信に良好な局が発見されると、音による又は視覚的な合図がなされ、外部のラジオ又は受信機のチャネルが変更されるべきことをユーザに通知する。再び、ユーザは、外部のラジオ又は受信機のチャネルをマニュアルで変えなければならない。
【０００７】
無線環境が絶え間なく変わる場合、例えばユーザが乗物で移動している場合、外部のラジオ又は受信機のチャネルを頻繁に変える必要があるかもしれない。これは煩わしいことであり、ユーザが乗物を運転している場合及び／又はチャネルが特に頻繁に変えられるべき場合、特にやっかいである。
【０００８】
米国特許第6,163,711号(特許文献２)は、既存のオーディオシステムと共に移動電話とインターフェースをとる装置を開示している。この装置は、予め選択したFM搬送周波数と共に到来する呼から受信したオーディオを変調し、その結果の低電力信号を、既存のオーディオシステムの受信機のアンテナに向けてブロードキャストする。しかしながらこの装置は、選択されたチャネルの干渉を検出することも克服することもできない。
【特許文献１】米国特許第6,728,239号明細書
【特許文献２】米国特許第6,163,711号明細書
【発明の開示】
【発明が解決しようとする課題】
【０００９】
従って、上記の既存の装置に付随する欠点を克服する携帯娯楽装置用の無線ブロードキャスト装置を提供することが望まれている。
【課題を解決するための手段】
【００１０】
本発明の第１形態によれば、携帯娯楽装置のための無線ブロードキャスト装置が提供される。本無線ブロードキャスト装置は、第１周波数でデータを送信し、前記データを送信する代替周波数を指定する情報を前記第１周波数で送信し、前記データの送信を前記代替周波数に切り替える。
【００１１】
本発明の別の形態によれば、上記の無線ブロードキャスト装置を有する携帯娯楽装置が提供される。
【００１２】
本発明の別の形態によれば、携帯娯楽装置に接続するためのアダプタであって、上記の無線ブロードキャスト装置を有するアダプタが提供される。
【００１３】
本発明の更に別の形態によれば、携帯娯楽装置から固定の又は移動可能な無線受信機へデータを送信するための方法が提供される。本方法は、第１周波数で前記携帯娯楽装置からデータを送信し、前記データを送信する代替周波数を指定する情報を前記第１周波数で送信し、前記データの送信を前記代替周波数に切り替える方法である。
【００１４】
好適実施例によれば、本方法は、前記第１周波数で前記データを送信する一方、前記第１周波数での干渉の存在を検出し、前記第１周波数での干渉が所定の閾値を越える場合、送信用に代替周波数を選択することを更に含む。この閾値は、低レベルの干渉により、無線ブロードキャスト装置が不必要に送信周波数を切り替えることを引き起こさないようにする。
【００１５】
好適実施例によれば、前記第１周波数でのデータの送信を終え、前記代替周波数でのデータの送信を開始することで、送信が切り替えられる。
【００１６】
好適実施例によれば、前記代替周波数でのデータの送信を開始し、前記第１周波数でデータを送信する電力を同時に減らすことで、送信が切り替えられる。
【００１７】
何れの実施例も、ユーザの介在を必要とせずに、通常の無線受信機が代替周波数に自動的に同調し直すという利点を有する。
【００１８】
好適実施例によれば、利用可能な周波数帯域で各周波数での干渉レベルを測定することで、発明装置は代替周波数候補のリストを決定する。
【００１９】
更なる好適実施例では、ラジオデータシステムのデータを調べることで、代替周波数候補の前記リストがコンパイルされる。これは、無線インターフェースを介して既に送信されている情報が使用され、本発明を実現する際に、既存の無線ネットワークインフラストラクチャを一切修正しなくて済むという利点をもたらす。
【００２０】
好適実施例によれば、前記代替周波数を指定する情報を、前記第１周波数での伝送のラジオデータシステム部分で送信する。これは、本発明を実現する際に、既存の無線インターフェースプロトコルが利用され、既存の無線受信機に対する修正を(もし必要だったとしても)最小限しか必要としないという利点をもたらす。
【００２１】
好適実施例によれば、発明装置は、前記データに関連する情報を、前記携帯娯楽装置から前記第１周波数で及び代替周波数での伝送のラジオデータシステム部分で送信することを更に含む。これは、本発明を実現する際に、既存の無線インターフェースプロトコルが利用され、既存の無線受信機に対する修正を(もし必要だったとしても)最小限しか必要としないという利点をもたらす。
【００２２】
別の好適実施例では、前記情報は、IDタグ又は他の関連データを含み、該関連データは歌のタイトル、アルバムタイトル、アーティスト又はトラック長の内の１つ以上を含む。RDSベースの実施例では、無線テキストフィールドでこの情報が伝送されてもよい。
【００２３】
別の好適実施例では、発明装置は、前記携帯娯楽装置の身元に関する情報を、前記第１及び代替周波数での伝送の無線データシステム部分で送信する。
【００２４】
別の好適実施例では、前記情報が、無線受信機により表示される。これは、携帯娯楽装置のユーザが、その携帯娯楽装置を見る必要なしに現在のトラックの詳細を見ることができることを意味し、ユーザの車両の運転を邪魔するおそれを減らすことができる。
【００２５】
本発明に関するこれらの及び他の形態は、以下に説明される実施例を参照しながら説明及び解明されるであろう。
【発明を実施するための最良の形態】
【００２６】
本発明を更に理解するため、そして本発明が如何にして恩恵をもたらすかを更に明確に示すため、例示的に添付図面が参照される。
【００２７】
図１は携帯娯楽装置２を示し、携帯娯楽装置は、ディジタル又はアナログフォーマットで格納されている音楽又はオーディオを再生可能にする如何なる装置でもよく、例えば、CDプレーヤ、オーディオセットプレーヤ、移動電話又はMP3プレーヤ等であり、本発明による無線ブロードキャスト装置４に接続される。
【００２８】
無線ブロードキャスト装置４は、携帯娯楽装置２からオーディオ出力を受信し、そのオーディオ出力をアンテナ６を経てエアインターフェースを介して何らかの隣接する無線受信機にブロードキャストする。無線ブロードキャスト装置４は、所定の周波数帯域の多数の周波数の何れかで信号をブロードキャストする。
【００２９】
無線ブロードキャスト装置４は、例えば3.5mmヘッドフォンソケットやUSBポート等のような当該技術分野で既知の何らかのコネクションによって、携帯娯楽装置２に接続可能である。本発明の代替実施例では、無線ブロードキャスト装置４は、携帯娯楽装置２の不可欠な部分を形成する。
【００３０】
図示の例では、携帯娯楽装置２及び無線ブロードキャスト装置４は車両８の中に設けられ、その車両はオーディオシステム10及び受信アンテナ又は空中線11を有する。本発明は、車両オーディオシステムにデータを送信することに関して説明されるが、本発明による無線ブロードキャスト装置４は、家庭のサウンドシステムで見受けられるような近くの固定無線受信機による受信に備えて、データを送信するのに使用可能であることは、容易に理解されるであろう。
【００３１】
図１は他の２つの無線送信機12,14も示し、これらは所定の周波数帯域の中で各自の周波数で無線信号をブロードキャストする。無線送信機12,14は公の無線局に属してもよいし、或いは車両８近辺の他の無線ブロードキャスト装置に属してもよい。
【００３２】
図２は、携帯娯楽装置２に接続された本発明の一実施例による無線ブロードキャスト装置４のブロック図である。無線ブロードキャスト装置４が携帯娯楽装置２と分離している本発明の実施例では、携帯娯楽装置２は従来のものでもよい。携帯娯楽装置２はプロセッサ16を有し、プロセッサはオーディオ記憶装置17の中に又はそこに格納されているデータからオーディオ信号を再生成する。
【００３３】
オーディオ記憶装置の形式は、携帯娯楽装置２の性質に依存する。例えば、携帯娯楽装置２がCDプレーヤ又はカセットプレーヤであった場合、オーディオ記憶装置17はそれぞれ取り外し可能なコンパクトディスク又はカセットテープになるであろう。或いは、携帯娯楽装置２がMP3プレーヤであった場合、オーディオ記憶装置17はハードディスクでもよいし、固定の又は取り外し可能な固体記憶装置でもよい。
【００３４】
携帯娯楽装置２はユーザが装置２を操作できるようにするユーザインターフェース18も有する。無線ブロードキャスト装置４が携帯娯楽装置２と一体的に形成されない場合、携帯娯楽装置２の動作は従来通りでもよく、従ってその場合について更には説明しない。無線ブロードキャスト装置４が携帯娯楽装置２と一体的に形成される場合、その無線ブロードキャスト装置４を活性化する／非活性化する選択肢がユーザに提示されてもよい。無線ブロードキャスト装置４の送信に使用される周波数に関する選択肢がユーザに提示されてもよい。
【００３５】
携帯娯楽装置２はバッテリのような電源供給部20及びインターフェース22も有し、インターフェースは、携帯娯楽装置２が他の装置や素子と接続されることを可能にする。インターフェース22は、オーディオ出力をもたらす少なくとも１つの手段を用意し、例えばヘッドフォン一式を接続可能にするソケットを用意する。
【００３６】
図示の例では、無線ブロードキャスト装置４は、携帯娯楽装置２と接続するためのインターフェース24、プロセッサ26、関連するメモリ28及び無線トランシーバ回路30を有する。無線ブロードキャスト装置４は、インターフェース22,24を介して携帯娯楽装置２の電源供給部20から電力を受ける。代替実施例では、無線ブロードキャスト装置４は別個の電源供給部を有する。
【００３７】
プロセッサ26は無線ブロードキャスト装置４の動作を制御する。本発明の第１実施例では、無線ブロードキャスト装置４が活性化されている場合(アクティブな場合)、送信用の１つ以上の周波数候補が決定されなければならない。プロセッサ26は、分析される所定の周波数帯域で走査処理(スキャン)を開始し、他の無線ブロードキャスト装置(ローカル無線局等)により現在どの周波数が使用されているかを確認する。この走査処理は、トランシーバ回路30を調整し、その帯域で利用可能な周波数各々を選択すること、それらの周波数各々で受信した信号を復調すること、及び受信した信号について測定(メジャーメント)を行うことを含む。この測定は、所定の閾値に対する受信信号強度を判定することを含んでもよい。
【００３８】
本発明の一形態によれば、プロセッサ26は、特定の周波数で或る信号の中で無線ブロードキャスト装置により送信された情報を使って、周波数候補として使用されるべきでないその帯域中の他の周波数を確認してもよい。
【００３９】
周波数帯域が、周波数変調(FM)伝送に使用される帯域であった場合、無線ブロードキャスト装置４は、受信信号の内ラジオデータシステム(RDS)の部分で搬送される情報を使って、その帯域内の他の周波数(特定の無線ブロードキャスト装置で使用されている最中の周波数)を特定することを支援する。例えば、無線送信機12を利用する無線ブロードキャスト装置は３つの周波数でブロードキャストを行う場合(例えば、89.1MHz、90.5MHz及び92.3MHz)、89.1MHzでそのブロードキャスト装置から送信されるRDS信号は、他の周波数90.5MHz及び92.3MHzを載せている情報を含んでよい。プロセッサ26は、このRDS情報を読み取り、これらの他の周波数は周波数候補として挙げられるべきでないことを通知することができる。
【００４０】
送信用の１つ以上の周波数候補が特定されると、その周波数候補各々の身元(identity)がメモリ28に格納可能である。
【００４１】
そしてプロセッサ26は周波数候補の１つを選択し、トランシーバ回路30を選択した周波数に調整し、インターフェース24を介して受信したオーディオデータを送信する。
【００４２】
本発明の代替実施例では、１つ以上のデフォルト周波数が、無線ブロードキャスト装置４のメモリ28に格納されていてもよい。装置４がアクティブにされると、上述のような周波数サーチを行わずに、デフォルト周波数の1つが、データを送信する際に使用するように選択される。
【００４３】
本発明の別の代替実施例では、スイッチオフにされる前に無線ブロードキャスト装置４で最後に使用した周波数が、メモリ28に格納可能である。装置４がアクティブにされると、上述のような周波数サーチを行わずに、最後に使用した周波数がメモリ28から取り出され、データを送信するのに使用可能である。
【００４４】
図３は、本発明による無線ブロードキャスト装置４と共に使用する従来の車両オーディオシステム10のブロック図である。車両オーディオシステム10は、車体に又は車体の中に搭載されたアンテナ又は空中線を有する。アンテナ11は空中を介して信号を受信し、それらを受信回路32に伝送し、受信回路は、プロセッサ34により又はユーザインターフェース36を介してユーザにより選択された周波数で、受信した信号を復調する。その結果のオーディオ信号はスピーカシステム38に与えられる。
【００４５】
周波数帯域がFMバンドであり、システム10がRDSで動作可能ならば、プロセッサ34が受信信号のRDS部分を検査することで、周波数が選択されてもよい。
【００４６】
オーディオ信号と共にデータを送信する他の方法がRDSの代わりに使用されてよいことは当業者に理解されるであろう。
【００４７】
上記の本発明の第２及び第３の例では、車両オーディオシステム10がスイッチオンにされる場合、プロセッサ34は受信回路32を或る周波数に合わせ、その周波数は、システム10がスイッチオフされる前に使用されていた最後の周波数、又はユーザによって設定されたデフォルト周波数である。
【００４８】
車両８、従って無線ブロードキャスト装置４は動くので、車両８が様々な他の無線送信機の送信範囲に出入りする際に、無線環境は変化する。これは、無線ブロードキャスト装置４からの送信は、装置４でカバーされるエリア内では、装置４と同じ周波数を利用する他のどのローカル送信よりも強いことを意味する。
【００４９】
従って、無線ブロードキャスト装置４で送信に使用されていた周波数は、当初は送信に適切な周波数として決定されていたかもしれないが、(状況が変われば)変更されなければならない。
【００５０】
本発明では、装置４が現在選択されている周波数(明確化のため、以下「第１周波数」と言及する)で信号をブロードキャストしている間、プロセッサ26はその周波数での干渉を規則的にモニタし、送信周波数を変更する必要があるか否かを判定する。プロセッサ26は、第１周波数での信号対雑音比と所定の閾値とを比較する、或いは信号対雑音比と、その周波数帯域で利用可能な他の周波数各自の信号対雑音比とを比較する。或いは、第１周波数での干渉を示すのに相応しい他の適切な如何なる測定値が使用されてもよい。
【００５１】
送信の周波数を変更する必要のあることをプロセッサ26が確認した場合、適切な代替周波数又は送信に使用すべき周波数をプロセッサ26は特定する。無線ブロードキャスト装置４がアクティブになった場合に、本発明の第１の例で周波数候補が特定されたのと同じ方法で、１つ又は複数の代替周波数の特定が実行可能である。
【００５２】
本発明によれば、無線ブロードキャスト装置４は、オーディオデータの将来の伝送に備えて代替周波数の１つを携帯娯楽装置２から選択する。切替手順を開始するため、無線ブロードキャスト装置４は、選択した代替周波数を指定する情報を、第１周波数で送信されている現在のオーディオデータと共に送信する。
【００５３】
周波数帯域がFMバンドであり、受信機10がRDSで動作可能な本発明の好適実施例では、代替周波数を指定する情報は、その信号のRDS部分の代替周波数(AF:  Alternative  Frequency)の部分で伝送される。
【００５４】
この情報が装置４により送信されていると、送信に使用される周波数は代替周波数に切り替え可能である。受信機10は、代替周波数を指定する情報を使って、ユーザ側の如何なる動作も必要とせずに、第1周波数から代替周波数に受信動作を切り替える。
【００５５】
代替周波数を指定する情報がRDSを用いて送信されていた場合、樹脂機10は、通常のRDS受信機に組み込まれている自動チューニング機能を使用してもよい。
【００５６】
本発明の代替実施例では、周波数が変更される必要のあることをプロセッサ26が確認した場合、送信に適切な代替周波数を指定するのではなく、無線ブロードキャスト装置４は、検出された信号干渉を利用して、適切な代替周波数又は送信に使用されるべき周波数を特定することができる。適切な代替周波数又は代替周波数群の身元はメモリ28に格納可能である。代替周波数のリストは、プロセッサ26により維持され、周期的に更新可能である。
【００５７】
送信周波数が変更されるべきことをプロセッサ26が確認すると、1つ以上の代替周波数が使用に備えて選択され、無線ブロードキャスト装置４は、選択した代替周波数を指定する情報を、第１周波数で現在送信されているデータと共に送信する。
【００５８】
周波数帯域がFMバンドであり、受信機10がRDSで動作可能である本発明の好適実施例では、代替周波数を指定する情報は、信号のRDS部分の代替周波数(AF)の部分で伝送される。これは、既存のRDS受信機が使用されてよいという利点を有し、特に、何らかの聞こえてしまう影響をもたらすことなしに、切り替えられる代替周波数に速やかにチューニングできる点で好ましい。
【００５９】
代替実施例では、送信に使用される周波数を変更する必要のあることを確認する前に、代替的な１つ又はそれ以上の周波数が特定される場合、代替的な１つ又はそれ以上の周波数を指定する情報は、第１周波数で送信されている現在のオーディオデータと共に周期的に送信可能である。
【００６０】
この例では、無線ブロードキャスト装置４は選択された代替周波数を既に持っているので、そして受信システムはその代替周波数を既に通知されているので、送信に使用される周波数は、上記の実施例の場合よりも速やかに代替周波数に切り替え可能であり、それにより、ユーザがオーディオ出力で干渉を聴いてしまう機会を減らすことができる。
【００６１】
無線ブロードキャスト装置４はその伝送状態をいくつかの方法の１つで代替周波数に切り替えることができる。好適実施例では、無線ブロードキャスト装置４は、第１周波数で信号をブロードキャストする電力を徐々に減らす一方、代替周波数で信号をブロードキャストする電力をそれに応じて増やす。システム10の受信機は、第１周波数で受信した信号の品質が劣化しつつあることを検出し、指定されている代替周波数に自動的に同調し直す。
【００６２】
或いは、無線ブロードキャスト装置４は、第１周波数での送信から代替周波数での送信に直に切り替えてもよい。システム10の受信機は、第１周波数の信号が無くなったことを検出し、代替周波数に同調し直す。
【００６３】
本発明の好適実施例では、再生されている現在のオーディオトラックについての情報が、装置４でブロードキャストされる信号に含められてもよい。その情報は、IDタグや他の間レデータを含み、歌のタイトル、アルバムタイトル、アーティスト又はオーディオトラックの長さを含んでもよく、その情報は、システム10の受信機でデコードされ、ユーザインターフェース36のディスプレイに表示されてもよい。装置４がRDSで動作可能な本発明の実施例では、その情報は、装置４によりブロードキャストされる信号のRDS部分で送信可能である。
【００６４】
本発明の別の実施例では、携帯娯楽装置２の身元に関する情報(例えば、“MP3Rich”)が、無線ブロードキャスト装置４により受信機10に送信可能である。この身元情報は、受信機10のユーザが、受信機10を始めに適切な周波数に合わせることを可能にする。
【００６５】
例えば、受信機10及び無線ブロードキャスト装置４がアクティブな場合、ユーザは受信機10を適切なチャネルにマニュアルで合わせ、携帯娯楽装置２からオーディオ信号を受信しなければならない。受信機10は現在選択している周波数における局の身元を表示する。ユーザは、「MP3Richdevice_ID」が表示されるまで、受信機10の周波数を変更できる。そして、受信機は正しい周波数に合わせられる。
【００６６】
装置４がRDSで動作可能な本発明の実施例では、この身元は、装置４によりブロードキャストされている信号のRDS部分で伝送可能である。特に、身元はプログラム識別子として、或いはプログラムサービス名のようなテキスト形式でブロードキャストされてもよい。  
図４は、本発明の第１の例による方法のステップを示すフローチャートである。ステップ101では無線ブロードキャスト装置が活性化され、ステップ103ではスキャン処理が開始され、無線ブロードキャスト装置は、未使用の又は空いている周波数を求めて利用可能な周波数帯域をスキャンする。上述したように、このスキャン処理は、各周波数における信号強度を閾値と比較することを含み、ある特定の周波数で信号と共に伝送されているかもしれない代替周波数情報を使用することもできる。
【００６７】
ステップ105では、ステップ103で発見した周波数の１つが、送信に使用される周波数として選択される。ステップ107では、携帯娯楽装置からのオーディオ信号が、選択された周波数で送信される。上述したように、本発明の好適実施例では、この送信には、受信機でデコードされユーザに表示可能なオーディオデータに関する情報が含まれてもよい。
【００６８】
ステップ109では、選択された周波数での干渉レベルが所定の閾値を越えるか否かが判定される。干渉レベルが閾値未満であった場合、装置は選択された周波数でデータをブロードキャストし続ける(ステップ111)。
【００６９】
しかしながら、干渉レベルが閾値を上回った場合、携帯娯楽装置からデータを送信する代替周波数を決定する必要がある(ステップ113)。この決定は、上記のステップ103で行われたスキャン処理と同様にすることができる。
【００７０】
代替周波数が決定されると、代替周波数を指定する情報がオーディオデータと共に送信される(ステップ115)。
【００７１】
ステップ117では、装置は送信周波数を代替周波数に切り替える。上述したように、装置は第1周波数での信号の送信電力を徐々に減らす一方、代替周波数での信号の送信電力を徐々に増やしてもよい。車両オーディオシステムの受信機は、伝送の信号強度の変化を検出し、その信号中の代替周波数のデータを用いて、代替周波数に自動的に同調し直す。
【００７２】
装置が代替周波数で送信し始めると、プロセスはステップ109に戻り、送信周波数を再び変更する必要のあることが確認されるまで、干渉レベルが監視される。
【００７３】
以上により、急速に変化する無線環境での干渉によって引き起こされる問題を克服できる無線ブロードキャスト装置が説明され、その装置は、車両のユーザ側での如何なる処理も必要とせずに、通常の車両オーディオシステムで利用可能な機能を使って受信機を同調し直すことができる。
【００７４】
本願で使用されているように「有する(comprising)」なる用語は他の要素やステップを排除するものではなく、「或る」又は「ある」は複数を排除するものではなく、単一のプロセッサ又は他のユニットが特許請求の範囲で言及されているいくつかの手段の機能を果たしてもよいことが理解されるであろう。
【００７５】
本発明は、携帯娯楽装置と共に使用されるように説明されたが、本発明は固定された娯楽装置と共に使用されてもよいことは理解されるであろう(その場合、家庭のサウンドシステム等のような近くの固定の又は携帯無線受信機による受信に備えて、データが娯楽装置から送信される。)。
【図面の簡単な説明】
【００７６】
【図１】携帯娯楽装置に接続されている本発明の一実施例による無線ブロードキャスト装置を示す図である。
【図２】本発明の一実施例による無線ブロードキャスト装置及び携帯娯楽装置のブロック図である。
【図３】本発明による無線ブロードキャスト装置と共に使用する従来の車両オーディオシステムのブロック図である。
【図４】本発明による方法のステップを示すフローチャートである。
【図１】
2009507411.tif 000003
【図２】
2009507411.tif 000004
【図３】
2009507411.tif 000005
【図４】
2009507411.tif 000006
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
携帯娯楽装置からデータを送信するための無線ブロードキャスト装置であって、
第１周波数でデータを送信し、
前記データを送信する代替周波数を指定する情報を前記第１周波数で送信し、
前記データの送信を前記代替周波数に切り替える際に、前記代替周波数でのデータの送信を開始し、前記第１周波数でデータを送信する電力を同時に減らすことで、前記データの送信を前記代替周波数に切り替える無線ブロードキャスト装置。
【請求項２】
前記第１周波数で前記データを送信する一方、前記第１周波数での干渉の存在を検出し、
前記第１周波数での干渉が所定の閾値を越える場合、送信用に代替周波数を選択する請求項１記載の無線ブロードキャスト装置。
【請求項３】
前記第１周波数でのデータの送信を終え、前記代替周波数でのデータの送信を開始することで、当該無線ブロードキャスト装置が前記の送信を切り替える請求項１又は２に記載の無線ブロードキャスト装置。
【請求項４】
利用可能な周波数帯域で各周波数での干渉レベルを測定することで、当該無線ブロードキャスト装置が代替周波数候補のリストを決定する請求項１乃至３の何れか１項に記載の無線ブロードキャスト装置。
【請求項５】
ラジオデータシステムのデータを調べることで、当該無線ブロードキャスト装置が、代替周波数候補の前記リストをコンパイルする請求項４記載の無線ブロードキャスト装置。
【請求項６】
前記代替周波数を指定する情報を、前記第１周波数での伝送のラジオデータシステム部分で送信する請求項１乃至５の何れか１項に記載の無線ブロードキャスト装置。
【請求項７】
前記データに関連する情報を、前記携帯娯楽装置から前記第１周波数で及び代替周波数での伝送のラジオデータシステム部分で送信する請求項１乃至６の何れか１項に記載の無線ブロードキャスト装置。
【請求項８】
前記情報は、IDタグ又は他の関連データを含み、該関連データは歌のタイトル、アルバムタイトル、アーティスト又はトラック長の内の１つ以上を含む請求項７記載の無線ブロードキャスト装置。
【請求項９】
前記携帯娯楽装置の身元に関する情報を、前記第１及び代替周波数での伝送の無線データシステム部分で送信する請求項１乃至８の何れか１項に記載の無線ブロードキャスト装置。
【請求項１０】
前記情報が、無線受信機により表示される請求項７，８又は９に記載の無線ブロードキャスト装置。
【請求項１１】
請求項１乃至１０の何れか１項に記載の無線ブロードキャスト装置を有する携帯娯楽装置。
【請求項１２】
請求項１乃至１０の何れか１項に記載の無線ブロードキャスト装置を有し、携帯娯楽装置に接続するためのアダプタ装置。
【請求項１３】
携帯娯楽装置から固定の又は移動可能な無線受信機へデータを送信するための方法であって、
第１周波数で前記携帯娯楽装置からデータを送信し、
前記データを送信する代替周波数を指定する情報を前記第１周波数で送信し、
前記代替周波数でのデータの送信を開始し、前記第１周波数でデータを送信する電力を同時に減らすことで、前記データの送信を前記代替周波数に切り替える方法。
【国際調査報告】
2009507411.tif 000007
2009507411.tif 000008
2009507411.tif 000009